(57)【要約】      （修正有）【課題】場所を問わず簡易に組み立てることができ、しかも、需要者が必要に応じて直ちに水を取り出すことができる給水用組立式タンクを提供する。【解決手段】基台２０と、基台に立設可能な支柱２１と、支柱の上端部に着脱可能な蓋枠２２と、基台に載置され且つ支柱を挿通可能な挿通部を外周に有する外袋３０と、外袋に収容可能であると共に耐水性を有する内袋からなり、内袋には、内部に水を供給するための給水部と、内部から水を取り出すための取水部とが取り付けられる。また、取水部を基台に対して位置決めするホルダー４０を備え、基台は、平面視において略矩形状であり、隣り合う支柱間のそれぞれに複数の保形部材２３を備える。【選択図】図１
0003201510.tif 000002
【実用新案登録請求の範囲】
【請求項１】
基台と、該基台に立設可能な支柱と、該支柱の上端部に着脱可能な蓋枠と、前記基台に載置され且つ前記支柱を挿通可能な挿通部を外周に有する外袋と、該外袋に収容可能であると共に耐水性を有する内袋からなり、該内袋には、内部に水を供給するための給水部と、内部から水を取り出すための取水部とが取り付けられる給水用組立式タンク。
【請求項２】
前記取水部を前記基台に対して位置決めするホルダーを備え、前記基台は、平面視において略矩形状である請求項１に記載の給水用組立式タンク。
【請求項３】
隣り合う前記支柱間のそれぞれに配置される複数の保形部材を備える請求項１又は請求項２に記載の給水用組立式タンク。
【請求項４】
前記基台には、前記支柱を収容可能な収容凹部が形成される請求項１乃至請求項３の何れか一項に記載の給水用組立式タンク。
【請求項５】
前記基台は、上面に蓋枠を収容可能に構成される請求項１乃至請求項４の何れか一項に記載の給水用組立式タンク。
【請求項６】
前記取水部に接続される接続ユニットを直接的又は間接的に支持する支持架台とを備える請求項１乃至請求項５の何れか１項に記載の給水用組立式タンク。
【考案の詳細な説明】
【技術分野】
【０００１】
本考案は、災害時や応急時に使用する緊急用の水を蓄えておくための給水用組立式タンクに関する。
【背景技術】
【０００２】
従来から、災害時や応急時に使用する緊急用の水を蓄えておくための設備として貯水タンクが提供されている（例えば、特許文献１参照）。
【０００３】
貯水タンクの内部には、平常時から水が蓄えられており、災害が起こったときに、該貯水タンク内の水が需要者に配られている（いわゆる、拠点給水が行われている）。
【０００４】
ところで、拠点給水では水を配ることができない地域や場所等（例えば、貯水タンクのような設備を常設し難い場所や、水を蓄えておくための設備から遠く離れている地域等）には、給水車によって水が運搬されることがある（いわゆる、運搬給水が行われている）。
【０００５】
運搬給水では、拠点給水で水を配ることができない地域や場所等を給水車で巡りながら、需要者に水を配っている。このように、水を蓄えておく設備を設置し難い地域や場所等の需要者には、一般的に運搬給水によって水が配られている。
【先行技術文献】
【特許文献】
【０００６】
【特許文献１】特開２００８−２４８６９３号公報
【考案の概要】
【考案が解決しようとする課題】
【０００７】
しかしながら、運搬給水は、給水車で前記地域等に移動し、その都度個別に給水するものであり、しかも、需要者各個人が所有している容器に水を配ることになる。
【０００８】
そのため、運搬給水では、全ての需要者に水を配り終えるまで給水車が一つの地域に留まり続けることになるため、水を円滑に運搬できないことがあった。
【０００９】
また、需要者各個人が所有する容器では、蓄えておくことができる水の量に限りがある。そのため、運搬給水では、需要者が容器に蓄えられている水を使い切ってしまい、給水車が再度訪れるまでの間、水を使えなくなる状況に陥り易い。従って、運搬給水には、需要者がより安定して水を受け取ることができるようにすることも望まれている。
【００１０】
このような事情から、運搬給水の対象となるような地域や場所においても、水を蓄えておくための設備を設置することが望まれることがあった。
【００１１】
そこで、本考案は、場所を問わず簡易に組み立てることができ、組立後にタンク内に水を蓄えることができ、しかも、該タンクから需要者が必要に応じて直ちに水を取り出すことができる給水用組立式タンクを提供することを課題とする。
【課題を解決するための手段】
【００１２】
本考案に係る給水用組立式タンクは、基台と、該基台に立設可能な支柱と、該支柱の上端部に着脱可能な蓋枠と、前記基台に載置され且つ前記支柱を挿通可能な挿通部を外周に有する外袋と、該外袋に収容可能であると共に耐水性を有する内袋とを備え、該内袋には、内部に水を供給するための給水部と、内部から水を取り出すための取水部とが取り付けられる。
【００１３】
本考案に係る給水用組立式タンクによれば、組み立て式であるため、場所を問わず、必要に応じて簡易に組み立てて設置することができる。しかも、需要者に配る水を内袋に一括して蓄えておくことができるため、需要者が必要に応じて内袋に蓄えられている水を取水部から取り出すことができ、これにより、需要者が水を使えなくなる状況に陥ることが抑えられる。
【００１４】
本考案に係る給水用組立式タンクは、前記取水部を前記基台に対して位置決めするホルダーを備えていてもよい。
【００１５】
このようにすれば、ホルダーによって取水部が基台に対して安定して位置決めされるため、取水部の動きが規制される。従って、取水部の姿勢が安定するため、需要者が内袋に蓄えられている水を容易に取り出せるようにすることができる。
【００１６】
本考案に係る給水用組立式タンクは、隣り合う前記支柱間のそれぞれに配置される複数の保形部材を備えていてもよい。
【００１７】
このようにすれば、内袋に水を蓄える際、外袋は、外方に向けて膨らむと、隣り合う支柱間に配置される保形部材に接触する。これにより、保形部材によって外袋の外方への膨らみが規制されるため、内袋が隣り合う支柱間から膨出することが防止される。
【００１８】
本考案に係る給水用組立式タンクにおいて、前記基台には、前記支柱を収容可能な収容凹部が形成されていてもよい。
【００１９】
このようにすれば、基台の収容凹部に支柱を収容しておくことができるため、コンパクトな状態で保管したり、運搬したりすることができる。
【００２０】
また、本考案に係る給水用組立式タンクにおいて、前記基台は、上面に前記蓋枠を収容可能に構成されていてもよい。
【００２１】
このようにすれば、基台の上面に蓋枠を収容しておくことができるため、さらにコンパクトな状態で保管したり、運搬したりすることができる。
【００２２】
本考案に係る給水用組立式タンクは、前記取水部に接続される接続ユニットを直接的又は間接的に支持する支持架台とを備えていてもよい。
【００２３】
このようにすれば、取水部に接続される接続ユニットが支持架台によって直接的又は間接的に支持されるため、取水部に接続される接続ユニットの動きが規制される。従って、接続ユニットの姿勢が安定するため、需要者が内袋に蓄えられている水を容易に安定して取り出せるようにすることができる。
【考案の効果】
【００２４】
以上のように、本考案に係る給水用組立式タンクによれば、場所を問わず簡易に組み立てることができ、組立後にタンク内に水を蓄えることができ、しかも、該タンクから需要者が必要に応じて直ちに水を取り出すことができるという優れた効果を奏し得る。
【図面の簡単な説明】
【００２５】
【図１】図１は、本考案の一実施形態に係る給水用組立式タンクの斜視図である。
【図２】図２は、同実施形態に係る給水用組立式タンクの正面図である。
【図３】図３は、同実施形態に係る給水用組立式タンクにおける蓋枠の斜視図である。
【図４】図４は、同実施形態に係る給水用組立式タンクにおける基台の斜視図である。
【図５】図５は、同実施形態に係る給水用組立式タンクにおける基台の平面図である。
【図６】図６は、同実施形態に係る給水用組立式タンクにおける外袋の斜視図である。
【図７】図７は、同実施形態に係る給水用組立式タンクにおける内袋の斜視図である。
【図８】図８は、同実施形態に係る給水用組立式タンクにおける内袋の断面図であって、図７のＶＩＩＩ−ＶＩＩＩ線における断面図である。
【図９】図９は、同実施形態に係る給水用組立式タンクの部分拡大図であって、ホルダーの部分拡大図である。
【図１０】図１０は、同実施形態に係る給水用組立式タンクの接続ユニットの分解図である。
【図１１】図１１は、同実施形態に係る給水用組立式タンクの斜視図であって、保管時における給水用組立式タンクの斜視図である。
【図１２】図１２は、同実施形態に係る給水用組立式タンクの斜視図であって、支柱を基台に立設している状態の給水用組立式タンクの斜視図である。
【図１３】図１３は、同実施形態に係る給水用組立式タンクの説明図であって、（ａ）は、取水部の流路形成部からキャップを取り外した状態の説明図であり、（ｂ）は、取水部の流路形成部にニップルを取り付けている最中の状態の説明図であり、（ｃ）は、取水部の流路形成部にニップルを取り付けた状態の説明図である。
【図１４】図１４は、同実施形態に係る給水用組立式タンクの斜視図であって、接続ユニットを介して取水部と配水具とを接続した状態における給水用組立式タンクの斜視図である。
【考案を実施するための形態】
【００２６】
以下、本考案の一実施形態に係る給水用組立式タンクについて、添付図面を参照しつつ説明する。
【００２７】
給水用組立式タンクでは、図１、及び図２に示すように、二つの方形状の基台２０が上下に積み重ねられた状態で設置されている。
【００２８】
基台２０は、図４、及び図５に示すように、外袋３０が載置され且つ平面視において正方形状をなす載置部２００を有する。載置部２００の四隅には、挿込孔２０１が形成されており、さらに、隣り合う挿込孔２０１間のそれぞれには、二つの取付孔２０２が形成されている。
【００２９】
また、載置部２００には、互いに並行して延びる複数の凸条部２０３が間隔を空けて形成されており、隣り合う凸条部２０３間には、後述する支柱２１又は保形部材２３を収容可能な収容凹部２０４が形成されている。
【００３０】
さらに、載置部２００には、外周縁部全周から起立する壁部２０５が形成されており、これにより、載置部２００の上面における該壁部２０５に包囲されている領域には、蓋枠２２を収容可能となっている。
【００３１】
支柱２１は、図１、及び図２に示すように、載置部２００の挿込孔２０１に挿し込まれる中空状の部材であり、載置部２００の四隅の挿込孔２０１のそれぞれには、個別の支柱２１が挿入されている。すなわち、基台２０の四隅には、４本の支柱２１がそれぞれ立設される。
【００３２】
蓋枠２２は、図３に示すように、角環状の枠本体２２０と、支柱２１の上端部を該枠本体２２０の下方側から挿入可能な四つの第一の受部２２１と、後述する保持形部材２３の支持杆２３０を該枠本体２２０の下方側から挿入可能であり且つ隣り合う第一の受部２２１間に二つずつ形成される八つの第二の受部２２２と、該枠本体２２０から上方に突出する四つの掛止部２２３とを有する。
【００３３】
保形部材２３は、図２に示すように、隣り合う支柱２１間において外袋３０の膨らみを規制するためのものであり、隣り合う支柱２１間のそれぞれの位置に一つずつ配置されている。各保形部材２３は、外袋３０の一側面に対応して配置される一対の支持杆２３０と、該一対の支持杆２３０に接続されている一対の支持線体２３１とによって構成されている。
【００３４】
各支持杆２３０は、下端部が載置部２００の取付孔２０２に挿入されるとともに、上端部が蓋体の第二の受部２２２に挿入されている。
【００３５】
外袋３０は、図６に示すように、有底状で上面開口型の外袋本体３００と、該外袋本体３００の外周に形成され且つ支柱２１を挿通可能な四つの挿通部３０１と、外袋本体３００の上面の開口を開閉可能なカバー部３０２とからなる。
【００３６】
外袋本体３００には、一側面の下方側に対して内外に亘って貫通する取出孔３０３が形成され、さらに、上方側には、枠本体２２０に固定される一対一組の固定部材３０４が八組取り付けられている。
【００３７】
内袋３１は、図７に示すように、耐水性を有する材料で構成され且つ内部が密閉されている内袋本体３１０からなり、内部に水を供給すべく上面に取り付けられた給水部３２と、内部から水を取り出すべく一側面の下方側に取り付けられた取水部３３とが設けられている。
【００３８】
給水部３２と取水部３３は、内袋本体３１０に対する取付位置が異なるが同じ構成であるため、同一の図（図８）を参照しつつ給水部３２及び取水部３３の説明を行う。
【００３９】
給水部３２及び取水部３３は、図８に示すように、外袋本体３００の外面に接合され且つ外袋本体３００の内外に水を流通させる流路となる筒状の流路形成部３２０，３３０と、該流路形成部３２０，３３０に着脱可能であるキャップ３２１，３３１とからなり、流路形成部３２０，３３０内には、外袋本体３００に対して水を流通させるための通水孔を形成するための切込具３２２，３３２が収容されている。
【００４０】
流路形成部３２０，３３０では、中心線方向における一方の開口端が外袋本体３００の外面に接合されるとともに、他方の開口端がキャップ３２１，３３１によって塞がれており、しかも、該一方の開口端の外周に対して板状の抜止板Ｐが取り付けられている。
【００４１】
キャップ３２１，３３１の外周面には、弾性を有する環状のシール部材Ｓが外嵌されており、キャップ３２１，３３１で流路形成部３２０，３３０の他方の開口端を塞いだ状態においては、該シール部材Ｓがキャップ３２１，３３１の外周面と、流路形成部３２０，３３０の内周面とに密接している。
【００４２】
切込具３２２，３３２は、筒状であり、一方の開口端における一部を除く部分には、尖鋭な複数の歯部３２３，３３３が形成されており、組み立て前の状態においては、他方の開口端を外袋本体３００側に向けた状態で流路形成部３２０，３３０内に収容されている。
【００４３】
ホルダー４０は、図９に示すように、取水部３３を基台２０に対して位置決めするためのものであり、取水部３３を挟み込んだ状態で載置部２００に載置され且つ外袋３０と保形部材２３との間に配置される上下一対の保持板４００を有する。
【００４４】
各保持板４００には、取水部３３の外周に当接させる当接凹部４０１が形成され、しかも、各保持板４００の前面には、支持杆２３０を配置するための湾曲部４０２と、支持線体２３１を配置するための配置溝４０３とが形成されている。
【００４５】
接続ユニット５０は、内袋３１に蓄えた水を需要者に配るための配水具Ｔを取水部３３に接続するためのものであり（図１４参照）、図１０に示すように、取水部３３に接続されるニップル５００と、該ニップル５００を介して取水部３３に接続される開閉弁５０１と、該開閉弁５０１に接続され且つ配水具Ｔを接続可能なカプラー５０２とからなり、前記開閉弁５０１が開閉されるに伴って、水の流れを許容する状態と、水の流れを遮断する状態とが切り替わるように構成されている。
【００４６】
支持架台６０は、図２に示すように、板状の座板（採番しない）から上方に延出する柱部６００と、該柱部６００の上端に取り付けられるとともに凹状に形成され且つ接続ユニット５０を受け止めるための受止部６０１とを有する。
【００４７】
次に、以上のように構成される給水用組立式タンク１０の組み立て方について添付図面を参照しつつ説明を行う。
【００４８】
給水用組立式タンク１０は、不使用時には、図１１に示すように、各支柱２１と、各保形部材２３のそれぞれが、個別の収容凹部２０４内に収容され、保形部材２３が載置部２００に載置されているため、基台２０と、支柱２１と、保形部材２３と、蓋枠２２とを一括してコンパクトな状態で設置場所に運搬した後に、設置場所において基台２０から蓋枠２２と、支柱２１と、保形部材２３とを取り出す。
【００４９】
しかる後に、保形部材２３を基台２０に立設する。保形部材２３は、支持杆２３０が取付孔２０２に挿し込まれることによって、基台２０に立設される。
【００５０】
次に、基台２０の四隅に立設した支柱２１が載置部２００上で広げられた状態の外袋３０を支持した状態にする。このとき、外袋３０を載置部２００に載せた後に、図１２に示すように、各支柱２１を挿通部３０１に挿通しつつ該支柱２１の下端部を挿込孔２０１に挿入すると、外袋３０の外周が基台２０に立設された４本の支柱２１によって支えられ、これにより、該外袋３０が広がった状態で支柱２１によって支持されることになる。
【００５１】
そして、内袋３１を外袋３０内に収納する。内袋３１は、給水部３２が取水部３３よりも上方に配置された状態で外袋本体３００の開口から外袋本体３００の内部に挿入配置される。
【００５２】
その後、ホルダー４０によって、取水部３３を基台２０に対して位置決めする。このとき、各保持板４００が外袋３０と保形部材２３との間に配置された状態で載置部２００に載せられる。そして、取出孔３０３を通じて外袋本体３００内から引き出した取水部３３を各保持板４００の当接凹部４０１の間に挟み込むと、該取水部３３が基台２０に対して位置決めされる
【００５３】
上記手順によって、取水部３３を位置決めした後に、蓋枠２２を支柱２１及び保形部材２３に取り付ける。蓋枠２２は、第一の受部２２１に支柱２１を挿入し、且つ第二の受部２２２に支持杆２３０を挿入することによって、支柱２１及び保形部材２３に取り付けられる。
【００５４】
そして、蓋枠２２に外袋３０を固定する。外袋３０は、各固定部材３０４を枠本体２２０に固定することによって、蓋枠２２に固定される。
【００５５】
次に、内袋本体３１０に対して、取水部３３の流路形成部３３０に連通する通水孔を形成する。より具体的に説明すると、まず、キャップ３３１を流路形成部３３０から取り外し、切込具３３２を流路形成部３３０内から取り出す（図１３（ａ）参照）。そして、歯部３３３を内袋本体３１０に向けた状態にした切込具３３２を流路形成部３３０内に配置する（図１３（ｂ）参照）。
【００５６】
そして、流路形成部３３０にニップル５００を接続すると、該ニップル５００によって切込具３３２が内袋本体３１０に向けて押し込まれるため、歯部３３３が内袋本体３１０を貫く。これにより、内袋本体３１０には、歯部３３３の形状に沿った切込線が形成されて通水孔が形成される（図１３（ｃ）参照）。このとき、内袋本体３１０の一部には、切込線が形成されないため、内袋本体３１０の一部が完全に切り抜かれてしまうことが防止される。
【００５７】
さらに、同様の手順によって、給水部３２の流路形成部３２０に連通する通水孔を内袋本体３１０に形成する。
【００５８】
次に、図１４に示すように、取水部３３と、配水具Ｔとを接続ユニット５０によって接続し、該接続ユニット５０を支持架台６０で支持する。
【００５９】
上記手順で組み立てられた給水用組立式タンク１０に水を供給する場合、開閉弁５０１を閉じた後に、給水部３２の流路形成部３２０を介して内袋３１に水を供給する。
【００６０】
内袋３１に供給した水を保管しておく場合は、給水部３２の流路形成部３２０にキャップ３２１を取り付け、しかも、カバー部３０２によって外袋本体３００の開口を閉じておく。
【００６１】
内袋３１に蓄えられている水を取り出す場合は、開閉弁５０１を開くと、内袋３１に蓄えられている水が取水部３３及び接続ユニット５０を通じて配水具Ｔに流れ込むため、該配水具Ｔを介して内袋３１に蓄えられている水を取り出すことができるようになる。
【００６２】
以上のように、給水用組立式タンク１０は、組み立て式であるため、場所を問わず簡易に組み立てることができる。しかも、組立後において、需要者に配る水を内袋３１に一括して蓄えておくことができ、これにより、需要者が必要に応じて内袋３１に蓄えられている水を取り出すことができるという優れた効果を奏し得る。
【００６３】
また、給水用組立式タンク１０では、ホルダー４０によって取水部３３が基台２０に対して位置決めされているため、内袋本体３１０や、外袋本体３００の変形に伴って取水部３３が動いてしまうことが抑えられる。
【００６４】
従って、給水用組立式タンク１０では、需要者が内袋３１に蓄えられている水を取り出す際に、取水部３３の姿勢を安定させることができ、これにより、内袋３１に蓄えられている水を取り出し易くすることができる。
【００６５】
さらに、給水用組立式タンク１０では、接続ユニット５０が支持架台６０によって直接的に支持されるため、内袋本体３１０や、外袋本体３００の変形に伴って接続ユニット５０に接続される配水具Ｔが動いてしまうことが抑えられる。これにより、配水具Ｔの姿勢を安定させることができるため、需要者が内袋３１に蓄えられている水を容易に取り出せるようにすることができる。
【００６６】
また、給水用組立式タンク１０では、保形部材２３が隣り合う各支柱２１間に配置されるため、外袋３０が外方に向けて膨らむと、該外袋３０が保形部材２３に接触し、これにより、外袋３０の外方への膨らみが保形部材２３によって規制される。従って、内袋３１が隣り合う支柱２１間から膨出することが防止されるため、外袋３０及び内袋３１が基台２０から脱落したり、給水用組立式タンク１０が倒れたりすることが防止される。
【００６７】
そして、給水用組立式タンク１０では、水を蓄えるための内袋３１が外袋３０内に収容され二重構造となっているため、内袋３１への塵等の侵入や、内袋３１の破損を防止できる。さらに、外袋本体３００の開口をカバー部３０２によって閉じることができるため、内袋３１への塵等の侵入や、内袋３１の破損をより確実に防止できる。
【００６８】
また、給水用組立式タンク１０では、組み立て前の状態において、内袋本体３１０の内部が密閉された状態になっている。そのため、給水用組立式タンク１０は、内袋本体３１０の内部を外気から遮断した状態で保管しておくことができる。従って、水を蓄えておく内袋本体３１０の内部を清潔な状態で保管しておくことができる。
【００６９】
さらに、切込具３３２は、一方の開口端の一部を除く部分に対して歯部３３３が形成されているため、内袋本体３１０の一部が切り取られることが防止される。これにより、内袋本体３１０の一部が完全に切り取られて接続ユニット５０内に流れ込むことが防止される。
【００７０】
給水用組立式タンク１０では、支柱２１と、保形部材２３とを載置部２００の収容凹部２０４に収容することができ、しかも、蓋枠２２を載置部２００に載せて収容しておくことができるため、保管に必要となるスペースを抑えることができる。
【００７１】
なお、本考案の給水用組立式タンク１０は、上記一実施形態に限定されるものではなく、本考案の要旨を逸脱しない範囲において種々変更を行うことは勿論である。
【００７２】
上記実施例において、特に言及しなかったが、給水用組立式タンク１０は、載置部２００と該載置部２００に載せた蓋枠２２とを連結する連結部材を備えていてもよい。このようにすれば、給水用組立式タンク１０は、立てた状態（載置部２００の壁部２０５を地面に付けて立てた状態）にして保管しておくこともできる。
【００７３】
また、載置部２００は、平面視での形状が正方形状であったが、平面視での形状が長方形状であってもよいし、楕円形状や、円形状であってもよい。載置部２００を楕円形状や、円形状とする場合、支柱２１は、外袋本体３００の外周周りに配置されるようにして基台２０に立設されていればよい。すなわち、支柱２１の数は、基台２０の形状に対応してその周囲に設けられれば、その本数は特に問わない。
【００７４】
上記実施例において、載置部２００には、複数の収容凹部２０４が形成されていたが、各支柱２１部、及び各保形部材２３のそれぞれを一括して収容する一つの収容凹部２０４が形成されていてもよい。
【００７５】
上記実施例では、二つの基台２０が上下に積み重ねられていたが、取水部３３が内袋本体３１０からの水の取り出しに適した位置（高さ）に配置されていれば、基台２０は一つであってもよい。すなわち、上下に積み重ねる基台２０の数を変えることによって、取水部３３を配置する高さを調整することができる。
【００７６】
上記において、支柱２１は、中空であるが、中実であってもよい。
【００７７】
上記において、基台２０には、４本の支柱２１を立設したが、３本の支柱２１を立設したり、５本以上の支柱２１を立設したりしてもよい。
【００７８】
上記において、取出孔３０３は、外袋本体３００に対して予め形成されてなるが、取水部３３を外袋本体３００内から外袋本体３００外に引き出す際に、外袋本体３００に形成してもよい。
【００７９】
上記において、保管されている給水用組立式タンク１０の基台２０には、支柱２１と、保形部材２３と、蓋枠２２とを収容してなるが、支柱２１と、保形部材２３と、蓋枠２２とに加えて外袋３０と、内袋３１とを収容してもよい
【００８０】
上記において、保形部材２３を基台２０に立設した後に、支柱２１を基台２０に立設したが、保形部材２３を基台２０に立設する前に、支柱２１を基台２０に立設してもよい。
【００８１】
上記において、保形部材２３を基台２０に立設した後に、外袋３０を載置部２００に載せたが、保形部材２３を基台２０に立設する前に、外袋３０を載置部２００に載せてもよい。
【００８２】
上記において、載置部２００に載せられた外袋３０の挿通空間に支柱２１を挿通したが、外袋３０を載置部２００に載せる前に該外袋３０の挿通空間に支柱２１を挿通してもよい。すなわち、挿通空間に支柱２１を挿通した状態の外袋３０を載置部２００に載せてもよい。
【００８３】
上記において、挿通空間に挿通させた支柱２１を載置部２００の挿込孔２０１に挿し込むが、この構成に限定されない。例えば、載置部２００の挿込孔２０１に支柱２１を挿し込んだ後に、該支柱２１を挿通空間に挿通させてもよい。
【００８４】
上記において、給水部３２から内袋３１に水を供給したが、この構成に限定されない。例えば、給水部３２と、取水部３３とのそれぞれから内袋３１に水を供給してもよい。
【００８５】
上記において、内袋３１に水を蓄えたが、内袋３１内に蓄える液体は、例えば、液状の食料や、薬液等であってもよい。
【００８６】
上記実施形態において、内袋３１は、需要者に水を供給することを目的とするが、例えば、内袋３１内に水を蓄えて浴槽とすることも可能である。
【符号の説明】
【００８７】
１０…給水用組立式タンク、２０…基台、２１…支柱、２２…蓋枠、２３…保形部材、３０…外袋、３１…内袋、３２…給水部、３３…取水部、４０…ホルダー、５０…接続ユニット、６０…支持架台、２００…載置部、２０１…挿込孔、２０２…取付孔、２０３…凸条部、２０４…収容凹部、２０５…壁部、２２０…枠本体、２２１…受部、２２２…受部、２２３…掛止部、２３０…支持杆、２３１…支持線体、３００…外袋本体、３０１…挿通部、３０２…カバー部、３０３…取出孔、３０４…固定部材、３１０…内袋本体、３２０…流路形成部、３２０，３３０…流路形成部、３２１，３３１…キャップ、３２２，３３２…切込具、３２３，３３３…歯部、４００…保持板、４０１…当接凹部、４０２…湾曲部、４０３…配置溝、５００…ニップル、５０１…開閉弁、５０２…カプラー、６００…柱部、６０１…受止部、Ｐ…抜止板、Ｓ…シール部材、Ｔ…配水具
【図１】
0003201510.tif 000003
【図２】
0003201510.tif 000004
【図３】
0003201510.tif 000005
【図４】
0003201510.tif 000006
【図５】
0003201510.tif 000007
【図８】
0003201510.tif 000008
【図９】
0003201510.tif 000009
【図１１】
0003201510.tif 000010
【図１３】
0003201510.tif 000011
【図１４】
0003201510.tif 000012
【図６】
0003201510.tif 000013
【図７】
0003201510.tif 000014
【図１０】
0003201510.tif 000015
【図１２】
0003201510.tif 000016